(57)【要約】【課題】流入口と流出口との落差を抑えるとともに、確実に止水できる逆流防止構造を提供する。【解決手段】流入口１１と、流入口１１よりも低い流出口１２と、流入口１１から流出口１２まで連続するインバート２２と、を備える排水施設１に設けられて、流入口１１への排水の逆流を防止する逆流防止構造Ｃである。  インバート２２に沿って上方にガイド部材２１，２１が設けられ、インバート２２の上縁とガイド部材２１，２１とに囲まれたガイド通路２が形成されるとともに、ガイド通路２には、流入口１１の内径よりも大きい外径を有する球状浮子３が移動可能に配置されている。【選択図】図１
2009299308.tif 000002
【特許請求の範囲】
【請求項１】
流入口よりも低い流出口と、前記流入口から前記流出口まで連続するインバートと、を備える排水施設に設けられて、前記流入口への下水の逆流を防止する逆流防止構造であって、
前記インバートに沿って上方にガイド部材が設けられ、前記インバートの上縁と前記ガイド部材とに囲まれたガイド通路が形成されるとともに、
前記ガイド通路には、前記流入口の内径よりも大きい外径を有する球状浮子が移動可能に配置されていることを特徴とする逆流防止構造。
【請求項２】
前記ガイド部材は、前記流入口に近い側が高くなるように傾斜していることを特徴とする請求項１に記載の逆流防止構造。
【請求項３】
前記インバートの上縁は、前記流入口に近い側が高くなるように傾斜して形成されることを特徴とする請求項１又は請求項２に記載の逆流防止構造。
【請求項４】
前記インバートは、前記流入口から前記流出口に向かって深さが漸増するＵ字溝状に形成されることを特徴とする請求項１乃至請求項３のいずれか一項に記載の逆流防止構造。
【請求項５】
前記インバート又は前記ガイド部材は、前記球状浮子が前記流出口に近づかないように移動を制限する移動制限手段を備えることを特徴とする請求項１乃至請求項４のいずれか一項に記載の逆流防止構造。
【請求項６】
前記ガイド部材は、一対の棒材によってレール状に形成されることを特徴とする請求項１乃至請求項５のいずれか一項に記載の逆流防止構造。
【発明の詳細な説明】
【技術分野】
【０００１】
本発明は、排水マスに設けられて、流入口への排水の逆流を防止する逆流防止構造と、この逆流防止構造を備える排水施設と、に関するものである。
【背景技術】
【０００２】
近年、集中豪雨や台風などがもたらす大雨によって下水が逆流し、宅地内の半地下家屋や地下室において浸水被害が生じることが問題となっている。
【０００３】
この問題を解決するために、例えば、特許文献１では、下方に向いて開口した排水管と、格子状の定置装置の内部を浮力によって上下する浮子と、を備える構成が開示されている。
【０００４】
したがって、排水マス中の水位が上昇した場合、浮子が排水管に当接して排水管の端部を塞ぐことで、排水の逆流を防止できる。
【０００５】
また、特許文献２では、振り子のように回動するアームと、アームの先端に取り付けられたブイとを備えることで、逆流水の水勢や水位上昇によってアームが回動し、ブイが流入管を塞ぐことで逆流を防止している。
【特許文献１】実開平６−６７５８８号公報
【特許文献２】特開２００４−１９７９２７号公報
【発明の開示】
【発明が解決しようとする課題】
【０００６】
しかしながら、特許文献１のように、浮子を上下に移動させる構成では、流入口と流出口との落差を大きくとる必要がある。
【０００７】
また、特許文献２のように、アームを備える構成では、アームにゴミなどが引っかかることで、アームの移動が阻害されて、確実に止水できない場合があった。
【０００８】
そこで、本発明は、流入口と流出口との落差を抑えるとともに、確実に止水できる逆流防止構造と、この逆流防止構造を備える排水施設と、を提供することを目的としている。
【課題を解決するための手段】
【０００９】
前記目的を達成するために、本発明の逆流防止構造は、流入口よりも低い流出口と、前記流入口から前記流出口まで連続するインバートと、を備える排水施設に設けられて、前記流入口への下水の逆流を防止する逆流防止構造であって、前記インバートに沿って上方にガイド部材が設けられ、前記インバートの上縁と前記ガイド部材とに囲まれたガイド通路が形成されるとともに、前記ガイド通路には、前記流入口の内径よりも大きい外径を有する球状浮子が移動可能に配置されていることを特徴とする。
【００１０】
そして、前記ガイド部材は、前記流入口に近い側が高くなるように傾斜する構成とすることができる。
【００１１】
また、前記インバートの上縁は、前記流入口に近い側が高くなるように傾斜して形成される構成とすることができる。
【００１２】
さらに、前記インバートは、前記流入口から前記流出口に向かって深さが漸増するＵ字溝状に形成される構成とすることができる。
【００１３】
そして、前記インバート又は前記ガイド部材は、前記球状浮子が前記流出口に近づかないように移動を制限する移動制限手段を備えることが好ましい。
【００１４】
また、前記ガイド部材は、一対の棒材によってレール状に形成されることが好ましい。
【発明の効果】
【００１５】
このように、本発明の逆流防止構造は、インバートに沿って上方にガイド部材が設けられ、インバートの上縁とガイド部材とに囲まれたガイド通路が形成されるとともに、ガイド通路には、流入口の内径よりも大きい外径を有する球状浮子が移動可能に配置されている。
【００１６】
このため、排水施設の内部の水位が上昇すると、ガイド通路の内部を球状浮子が浮力や流れを受けて流入口近傍に移動し、流入口に当接することで、排水の逆流を防止できる。しかも、排水施設における流入口と流出口との落差を最小限に抑えることができる。
【００１７】
そして、前記ガイド部材は、前記流入口に近い側が高くなるように傾斜していることで、浮力によって球状浮子を斜め上方に移動させて流入口近傍に移動させることができる。
【００１８】
また、インバートの上縁は、流入口に近い側が高くなるように傾斜して形成されていることで、平常時において重力によって球状浮子を斜め下方に移動させて流入口から遠ざけるため、排水が球状浮子に当たりにくくなって球状浮子が汚れにくくなる。
【００１９】
さらに、インバートは、流入口から流出口に向かって深さが漸増するＵ字溝状に形成されていることで、排水を流すインバートが傾斜するため、排水施設内に排水が滞留することを防止できる。
【００２０】
そして、インバート又はガイド部材は、球状浮子が流出口に近づかないように移動を制限する移動制限手段を備えていることで、平常時において排水の流出を妨げることがない。
【００２１】
また、ガイド部材は、一対の棒材によってレール状に形成されることで、排水施設の上方から夾雑物などを取り除くことができるため、メンテナンス性が格段に向上する。
【発明を実施するための最良の形態】
【００２２】
以下、本発明の最良の実施の形態について図面を参照して説明する。
【００２３】
まず、図２を用いて本発明の排水マス１を備える排水システムＳの全体構成を説明する。
【００２４】
本実施の形態の排水システムＳは、図２に示すように、建物６の半地下部分６１にトイレ６２と風呂６３とを備えるとともに、このトイレ６２や風呂６３には宅地内マス５１，５２が接続されて、排水管５３１，５３２，５３３，５３４によって公共マス５５を経て下水本管５４に接続されている。
【００２５】
そして、本実施の形態の排水システムＳでは、宅地内マス５１，５２と公共施設である下水本管５４との間に、排水マス１が配置されている。すなわち、宅地内マス５１の下流側の排水管５３２に流入口１１（図１参照）が接続されるとともに、公共マス５５の上流側の排水管５３３に流出口１２が接続されている。
【００２６】
この排水マス１は、図１に示すように、円筒容器状の本体筒１０と、この本体筒１０の上端を閉塞する点検蓋１３と、本体筒１０の中間に設けられた流入口１１と、本体筒１０においてこの流入口１１より低い位置に設けられた流出口１２と、を備えている。なお、この図１では、説明の便宜のために、本体筒１０の一部を破断して説明している。
【００２７】
この流入口１１は、塩化ビニルなどの樹脂によって、円筒状に形成されるもので、樹脂製の本体筒１０の側面の中間に本体筒１０の内部と外部とを連通するように設置されている。さらに、この流入口１１には、ゴムなどによって形成された円環状のパッキン１４が取り付けられている。
【００２８】
また、流出口１２は、上記した流入口１１と同様に、塩化ビニルなどの樹脂によって、円筒状に形成されるもので、本体筒１０の側面の中間に本体筒１０の内部と外部とを連通するように設置されている。
【００２９】
さらに、この流出口１２は、上記した流入口１１の管底よりも管底が低くなるような高さに配置され、円周方向には流入口１１と正対するように位置している。
【００３０】
この流入口１１と流出口１２との高低差は、後述するように、大雨時に球状浮子３が浮き上がって流入口１１の近傍に移動できる程度あればよいが、高低差が小さすぎると球状浮子３が平常時の排水の流れを妨害することになるため、流出口１２の内周面上端よりも流入口１１の内周面下端が高くなるように配置されていることが望ましい。
【００３１】
加えて、この流出口１２の径は、同一の排水量を流すことができるように、上記した流入口１１の径と略同一に形成されている。なお、この流出口１２の径は、流入口１１の径と略同一に限定されるものではなく、排水施設に設けられる流入口１１や流出口１２の数や径などに応じて設定することができる。
【００３２】
そして、本実施の形態の排水マス１は、円筒容器状の本体筒１０の内部に、逆流防止構造Ｃを備えている。
【００３３】
この逆流防止構造Ｃは、一対の平行な棒材としてのガイド棒２１，２１と、インバート２２と、球状浮子３と、によって主に構成されている。
【００３４】
このガイド部材としてのガイド棒２１は、樹脂などによって円柱状に形成されるもので、図３（ａ），（ｂ）に示すように、流入口１１の上部と流出口１２の上部とに架け渡すように、本体筒１０の内周面に接着剤などによって取り付けられている。
【００３５】
そして、ガイド棒２１は、球状浮子３が浮力を受けて流入口１１の方向に移動できるように、流入口１１に近い側が高くなるように傾斜して取り付けられている。
【００３６】
この傾斜角度は、水平面から仰角３０度以下の緩やかな角度とすることで、流入口１１と流出口１２との高低差を大きくせずに、大雨時に浮力によって球状浮子３を移動させることができる。
【００３７】
さらに、このガイド棒２１は、球状浮子３がガイド通路２から逸脱しないように形成されている。つまり、ガイド棒２１は、インバート２２の上方において球状浮子３の直径よりも狭い間隔で２本が平行に設けられるとともに、底版２４の上面から球状浮子３の直径よりも低い高さに設けられている。
【００３８】
また、インバート２２は、本体筒１０の下端面を閉塞する底版２４の中央に直径方向に連続する略Ｕ字溝状に形成されるもので、図３（ｂ）に示すように、平常時に排水を流すための流路面２２ｂと、球状浮子３を保持するために上縁２２ｄ，２２ｄの近傍が斜めに傾斜したガイド面２２ａ，２２ａと、このガイド面２２ａ，２２ａの流出口１２に近い側に形成された移動制限手段としてのストッパー面２２ｃ，２２ｃと、を備えている。
【００３９】
この流路面２２ｂは、略Ｕ字溝状に形成され、流入口１１から流出口１２に向かって下り勾配が設けられているため、流入口１１から流入した排水を流出口１２へ滑らかに流すことができるようになっている。
【００４０】
さらに、ガイド面２２ａ，２２ａは、球状浮子３がインバート２２の上縁２２ｄ，２２ｄを移動する際に傷がつかないように保護するとともに、端部にストッパー面２２ｃ，２２ｃが設けられて球状浮子３の移動を制限している。
【００４１】
加えて、略Ｕ字溝状のインバート２２の流出口１２側の端部は、流出口１２の管の厚み分だけ径が大きくなっており、流出口１２を嵌め込んで固定できるように形成されている。
【００４２】
さらに、底版２４の上面は、排水がインバート２２から溢れた際にゴミが滞留することを防止するために、インバート２２が設けられた中央近傍が低くなるように傾斜している。
【００４３】
そして、本実施の形態では、インバート２２の上縁２２ｄ，２２ｄと、ガイド棒２１，２１と、によって囲まれてガイド通路２が形成されている。
【００４４】
このガイド通路２は、球状浮子３が移動できるように、球状浮子３よりもひと回り大きく形成されている。
【００４５】
すなわち、ガイド通路２の下方にはインバート２２があるために、球状浮子３は下方への移動が制限され、上方には間隔が調整された一対のガイド棒２１，２１があるために、上方への移動が制限され、さらにこの一対のガイド棒２１，２１は底版２４からの高さが調整されているために、側方への移動が制限されている。
【００４６】
そして、球状浮子３は、樹脂などによって、流入口１１の内径よりも大きい外径を有する球状に形成されるもので、上記したガイド通路２に流入口１１と流出口１２を結ぶ方向に移動可能に配置されている。
【００４７】
また、球状浮子３は、大雨時に作用する浮力と重力との大きさを考慮して、比重が０．９〜１．０の範囲に調整されている。なお、この比重としては０．９５が好ましい。
【００４８】
したがって、この球状浮子３は、平常時には、重力を受けてインバート２２の上縁２２ｄ，２２ｄやガイド面２２ａ，２２ａに載置され、流入口１１から流入した宅内排水に押されて転がるように移動してストッパー面２２ｃ，２２ｃの位置で静止している。
【００４９】
他方、大雨時にマス内の水位が上昇すると、球状浮子３は、浮力を受けてガイド棒２１，２１に沿って斜め上方に移動し、流入口１１に流入する流れによって流入口１１のパッキン１４に吸い寄せられて当接する。
【００５０】
次に、本実施の形態の逆流防止構造Ｃの作用について説明する。
【００５１】
従来、地表５６よりも低い半地下部分６１を備える建物６では、大雨時に下水本管５４の容量を超えた下水が逆流して、半地下部分６１に下水が溢れたり、下水と共にエアーが逆流したりすることがあった。
【００５２】
つまり、大雨時に、排水を下水本管５４に流しきれなくなると、公共マス５５などから地表５６に溢れ出ることになるが、地表５６よりも水頭が低い半地下部分６１があると、まずこの半地下部分６１に溢れるように逆流することになる。
【００５３】
ここにおいて、下水本管５４と宅地内マス５１との間に逆流防止構造Ｃを備える排水マス１が配置されていれば、下水の逆流を防止できる。
【００５４】
すなわち、本実施の形態の逆流防止構造Ｃは、インバート２２に沿って流入口１１に近い側が高くなるように傾斜したガイド部材としてのガイド棒２１，２１が設けられ、インバート２２の上縁２２ｄ，２２ｄとガイド棒２１，２１とに囲まれたガイド通路２が形成され、このガイド通路２には、流入口１１の内径よりも大きい外径を有する球状浮子３が移動可能に配置されている。
【００５５】
このため、排水マス１の内部の水位が上昇すると、ガイド通路２の内部を、浮力や流れを受けた球状浮子３がガイド棒２１，２１に沿って斜め上方に移動し、流入口１１に当接して流入口１１を閉塞することで、下水の逆流を防止できる。
【００５６】
つまり、図４（ａ）に示すように、下流側の流出口１２から下水が逆流して排水マス１に貯留されると、排水マス１の内部の水位が上昇し、やがて流入口１１に逆流する。
【００５７】
そうすると、球状浮子３は、比重が１．０よりも小さいため、浮力を受けて浮き上がり、ガイド部材としてのガイド棒２１，２１に接するまで上昇すると、ガイド棒２１，２１に誘導されるとともに流れを受けることでガイド棒２１，２１に沿って斜め上方に移動する。
【００５８】
そして、図４（ｂ）に示すように、球状浮子３が流入口１１の近傍まで移動すると、流入口１１に向かって流れ込む下水の流れによって流入口１１に吸い寄せられ、流入口１１の端部に取り付けられたパッキン１４に当接する。
【００５９】
さらに、排水マス１の内部の水位が上昇すると、球状浮子３は水圧によって流入口１１に押し付けられるため、完全な止水が達成される。
【００６０】
また、水位が下がってくると、球状浮子３は重力によって流入口１１から離れて落下し、インバート２２に載置された状態となり、流入口１１から排水が流れてくることで、流出口１２側に移動する。
【００６１】
なお、この図４（ａ）の初期の場合において、下水が流入口１１を通じて逆流しているが、図２に示すように、流入口１１は半地下部分６１の下に設置された宅地内マス５１，５２に接続されているため、半地下部分６１が浸水することはない。
【００６２】
加えて、本実施の形態の逆流防止構造Ｃでは、排水マス１における流入口１１と流出口１２との落差を最小限に抑えることができる。
【００６３】
つまり、球状浮子３は、上下方向ではなく、ガイド棒２１，２１に沿って斜めに移動することで、上下方向の移動距離が小さくなるため、この流入口１１と流出口１２との高低差を少なくすることができる。
【００６４】
このため、排水管５３１，５３２，５３３，５３４，公共マス５５や下水本管５４などが埋設される深さが浅い場合にも、逆流防止構造Ｃを設置することができる。
【００６５】
ここにおいて、ガイド部材としてのガイド棒２１，２１は、流入口１１に近い側が高くなるように傾斜していることで、浮力のガイド棒２１，２１に沿う方向の成分によって球状浮子３を斜め上方に移動させて流入口１１近傍に移動させることができる。
【００６６】
また、平常時においては、球状浮子３が、ガイド通路２とある程度の間隔を持って配置されてため、夾雑物などが引っ掛かることを防止できるうえに、夾雑物などが引っ掛かった場合には取り除きやすい構造となっている。
【００６７】
特に、本実施の形態では、ガイド部材としてのガイド棒２１，２１は、一対の平行な棒材によってレール状に形成されることで、排水マス１の上方から夾雑物などを取り除くことができるため、メンテナンスの作業性が格段に向上する。
【００６８】
さらに、この球状浮子３は、平常時には重力や宅内排水の流れによって移動し、大雨時には浮力や下水逆流の流れによって移動するため、機械的な構造を用いることなく、簡易な構造によって、確実に止水することができる。
【００６９】
そして、本実施の形態の逆流防止構造Ｃは、排水マス１がもともと備えているインバート２２を利用してガイド通路２を形成することで、より簡易な構造となっている。
【００７０】
また、インバート２２は、球状浮子３が流出口１２に近づかないように移動を制限する移動制限手段としてのストッパー面２２ｃ，２２ｃを備えていることで、平常時において宅内排水の流出を妨げることがない。
【００７１】
つまり、平常において、排水流量が多い場合などには、球状浮子３が流出口１２に近づいて流出口１２の内空断面を侵して流れを妨害する可能性があるが、移動制限手段を設けておけば、宅内排水の流れを妨害することはない。
【００７２】
さらに、球状浮子３は、比重が０．９以上１．０未満に調整されていることで、ガイド部材２１，２１が傾斜していないときでも、流れの影響を受けて球状浮子３が流入口１１側に動きやすくなるため、止水しやすくなるとともに、水位が下がると重力によって落下しやすくなる。
【００７３】
すなわち、比重が１．０を超えると、球状浮子３が浮かび上がらなくなるとともに、比重が小さいと水位が下がった際に、重力を受けて落下しなくなるために、上記の範囲に調整されている。
【００７４】
そして、本実施の形態の排水施設としての排水マス１は、上記した逆流防止構造Ｃを備えることで、排水の逆流を防止できる排水施設となる。
【００７５】
このように、逆流を防止できれば、下水本管５４から溢れた下水が逆流して排水マス１に達しても、この位置で逆流を阻止できるため、建物６の半地下部分６１が浸水することがなくなる。
【実施例】
【００７６】
以下、図５，６，７を用いて、前記実施の形態とは別の形態の逆流防止構造Ｃ１を備える排水施設としての排水マス１Ａについて説明する。
【００７７】
なお、前記実施の形態で説明した内容と同一乃至均等な部分の説明については同一符号を付して説明する。
【００７８】
まず、構成から説明すると、本実施例の排水マス１Ａは、図５に示すように、円筒容器状の本体筒１０の内部に、逆流防止構造Ｃ１を備えている。なお、この図５では、説明の便宜のために、本体筒１０の一部を破断して説明している。
【００７９】
この逆流防止構造Ｃ１は、ガイド部材としてのガイド庇２３と、インバート２２と、球状浮子３と、によって主に構成されている。
【００８０】
このガイド部材としてのガイド庇２３は、樹脂などによって円弧庇状に形成されるもので、図６（ａ），（ｂ）に示すように、本体筒１０の内周面の流入口１１の上部に、本体筒１０の内周面に接着剤などによって取り付けられている。
【００８１】
そして、ガイド庇２３は、球状浮子３が浮力を受けて流入口の方向に移動できるように、流入口１１に近い側が高くなるように傾斜して取り付けられている。
【００８２】
さらに、このガイド庇２３は、球状浮子３がガイド通路２Ａから逸脱しないように形成されている。つまり、ガイド庇２３は、インバート２２の上方に設けられるとともに、円弧の両端が底版２４の上面から球状浮子３の直径よりも低い位置に設けられている。
【００８３】
また、インバート２２は、本体筒１０の下端面を閉塞する底版２４の中央に直径方向に連続するＵ字溝状に形成されるもので、図６（ｂ）に示すように、平常時に排水を流すための流路面２２ｂを備えている。
【００８４】
加えて、本実施例では、図６（ｂ）に示すように、底版２４の上面が、インバート２２が設けられた中央近傍が低くなるように傾斜しているとともに、流入口１１に近い側が高くなるように傾斜している。
【００８５】
さらに、インバート２２は、流入口１１から流出口１２に向かって深さが漸増する略Ｕ字溝状に形成されていることで、流路面２２ｂは流入口１１に近い側が高くなるように傾斜している。
【００８６】
上記したように、本実施例では、インバート２２の上縁２２ｄ，２２ｄと、ガイド庇２３と、によって囲まれてガイド通路２Ａが形成されている。
【００８７】
次に作用について説明すると、本実施例の逆流防止構造Ｃ１は、インバート２２に沿って流入口１１に近い側が高くなるように傾斜したガイド部材としてのガイド庇２３が設けられ、インバート２２の上縁２２ｄ，２２ｄとガイド庇２３とに囲まれたガイド通路２Ａが形成され、このガイド通路２Ａには、流入口１１の内径よりも大きい外径を有する球状浮子３が移動可能に配置されている。
【００８８】
このため、排水施設としての排水マス１Ａの内部の水位が上昇すると、ガイド通路２Ａの内部を、浮力を受けた球状浮子３がガイド庇２３に沿って斜め上方に移動し、流入口１１に当接して流入口１１を閉塞することで、下水の逆流を防止できる。
【００８９】
つまり、図７（ａ）に示すように、下流側の流出口１２から下水が逆流して排水マス１に貯留されると、排水マス１の内部の水位が上昇し、やがて流入口１１に逆流する。
【００９０】
そうすると、球状浮子３は、比重が１．０よりも小さいため、浮力を受けて浮き上がり、ガイド部材としてのガイド庇２３に接するまで上昇すると、このガイド庇２３に沿って斜め上方に移動する。
【００９１】
次に、図７（ｂ）に示すように、球状浮子３が流入口１１の近傍まで移動すると、流入口１１に向かって流れ込む下水の流れによって流入口１１に吸い寄せられ、流入口１１の端部に取り付けられたパッキン１４に当接する。
【００９２】
さらに、排水マス１の内部の水位が上昇すると、球状浮子３は水圧によって流入口１１に押し付けられるため、完全な止水が達成される。
【００９３】
そして、水位が下がってくると、球状浮子３は重力によって流入口１１から離れて落下し、インバート２２に載置された状態となり、流入口１１からの排水の流れや重力によって流出口１２側に移動する。
【００９４】
また、本実施例では、底版２４の上面が流入口１１に近い側が高くなるように傾斜しているため、インバート２２の上縁２２ｄ，２２ｄも、流入口１１に近い側が高くなるように傾斜している。
【００９５】
このため、平常時において重力によって球状浮子３を斜め下方に移動させて、流入口１１から遠ざけることができる。したがって、排水が球状浮子３に衝突し、排水に含まれる夾雑物が球状浮子３近傍の流路面２２ｂに溜まって排水の流れを阻害することはない。
【００９６】
さらに、インバート２２は、流入口１１から流出口１２に向かって深さが漸増する略Ｕ字溝状に形成されていることで、排水を流すインバート２２の流路面２２ｂが傾斜するため、平常時において排水マス１内に排水が滞留することを防止できる。
【００９７】
このように排水の滞留を防止することで、滞留した排水が腐敗して臭気が発生したり、微生物が繁殖したりすることを防止できる。
【００９８】
加えて、底版２４の上面は、インバート２２が設けられた中央近傍が低くなるように傾斜しており、流路面２２ｂから溢れた排水は再び流路面２２ｂに戻るため、排水マス１内に排水が滞留することを防止できる。
【００９９】
また、ガイド部材としてのガイド庇２３は、球状浮子３が流出口１２に近づかないように移動を制限する移動制限手段としての折曲部２３１を備えていることで、平常時において排水の流出を妨げることがない。
【０１００】
なお、この他の構成および作用効果については、前記実施の形態と略同様であるため説明を省略する。
【０１０１】
以上、図面を参照して、本発明の最良の実施の形態及び実施例を詳述してきたが、具体的な構成は、この実施の形態又は実施例に限らず、本発明の要旨を逸脱しない程度の設計的変更は、本発明に含まれる。
【０１０２】
例えば、本実施の形態及び実施例では、排水マス１，１Ａが樹脂によって形成される場合について説明したが、これに限定されるものではなく、コンクリートなどによって形成されるものであってもよい。
【０１０３】
また、本実施の形態及び実施例では、球状浮子３の移動制限手段としてストッパー面２２ｃ，２２ｃや折曲部２３１が設けられる場合について説明したが、これに限定されるものではなく、移動制限手段が設けられないものであってもよい。
【０１０４】
さらに、本実施の形態及び実施例では、球状浮子３の比重が０．９以上１．０未満に調整されているが、これに限定されるものではなく、パッキン１４の構造などによっては、この範囲以下の比重を有する球状浮子３を用いることもできる。
【０１０５】
そして、本実施の形態及び実施例では、宅地内マス５１，５２とは別個に、逆流防止構造Ｃ，Ｃ１を備える排水施設としての排水マス１，１Ａを設ける場合について説明したが、これに限定されるものではなく、宅地内マスに逆流防止構造を設けるものであってもよい。
【０１０６】
また、本実施の形態及び実施例では、ガイド部材としてのガイド棒２１，２１やガイド庇２３が傾斜している場合について説明したが、これに限定されるものではなく、まったく傾斜せずに略水平に設置されるガイド部材であってもよい。
【図面の簡単な説明】
【０１０７】
【図１】本発明の最良の実施の形態の逆流防止構造を備える排水施設の構成を説明する斜視図である。
【図２】本発明の最良の実施の形態の排水施設を備える排水システムの構成を説明する説明図である。
【図３】本発明の最良の実施の形態の逆流防止構造の構成を説明する断面図である。（ａ）は縦断面図であり、（ｂ）は横断面図である。
【図４】本発明の最良の実施の形態の逆流防止構造の作用を説明する説明図である。（ａ）は球状浮子が浮上した状態であり、（ｂ）は球状浮子が流入口に当接した状態である。
【図５】実施例の逆流防止構造を備える排水施設の構成を説明する斜視図である。
【図６】実施例の逆流防止構造の構成を説明する断面図である。（ａ）は縦断面図であり、（ｂ）は横断面図である。
【図７】実施例の逆流防止構造の作用を説明する説明図である。（ａ）は球状浮子が浮上した状態であり、（ｂ）は球状浮子が流入口に当接した状態である。
【符号の説明】
【０１０８】
１，１Ａ      排水マス（排水施設）
Ｃ，Ｃ１      逆流防止構造
１１          流入口
１２          流出口
２，２Ａ      ガイド通路
２１          ガイド棒（ガイド部材）
２２          インバート
２２ｃ        ストッパー面（移動制限手段）
２２ｄ        上縁
２３          ガイド庇（ガイド部材）
２３１        折曲部（移動制限手段）
３            球状浮子
【図１】
2009299308.tif 000003
【図２】
2009299308.tif 000004
【図３】
2009299308.tif 000005
【図４】
2009299308.tif 000006
【図５】
2009299308.tif 000007
【図６】
2009299308.tif 000008
【図７】
2009299308.tif 000009